(57)【要約】【課題】キャスター台車に積載されている廃棄物運搬用の複数の梱包体の荷崩れを確実に阻止してキャスター台車上からの各梱包体の転倒およびこれに伴う梱包体内部の廃棄物の飛散を防止する。【解決手段】ハンドル２ａ折り畳み式のキャスター台車２と、当該キャスター台車２上に脱着可能に取り付け且つ一側面に扉部５を有する側壁部３と、該側壁部３の上側開口部を塞ぐよう当該側壁部３に対し脱着可能に取り付ける天井部４とを備え、キャスター台車２、側壁部３、天井部４それぞれによって囲んだ内部空間を、廃棄物を収納した複数の梱包体Ｐの収容空間Ｓとした。【選択図】図３
2013039879.tif 000002
【特許請求の範囲】
【請求項１】
ハンドル折り畳み式のキャスター台車と、当該キャスター台車上に脱着可能に取り付けられ且つ一側面に扉部を有する側壁部と、該側壁部の上側開口部を塞ぐよう当該側壁部に対し脱着可能に取り付けられる天井部とを備え、キャスター台車、側壁部、天井部それぞれによって囲まれた内部空間を、廃棄物を収納した複数の梱包体の収容空間としたことを特徴とする廃棄物搬送用コンテナ型台車。
【請求項２】
側壁部は、前記扉部を有する正面部、左右側面部、背面部がヒンジ部を介して互いに接続されて成り、左右側面部同士はこれら中央縦方向に沿って分断され且つヒンジ部を介して互いに接続されて成る中間折込部を備え、左右側面部それぞれの各中間折込部同士をヒンジ部を介してそれぞれ内方に向けて折り込むことで、側壁部を平面状に折り畳み可能とした請求項１記載の廃棄物搬送用コンテナ型台車。
【請求項３】
キャスター台車には、側壁部の下端縁部を装着させるための溝条と、側壁部の下端適所から下方に向けて突設した突起を装着するための穴部と、キャスター台車上に装着された側壁部を当該キャスター台車に対して固定するための第１スライドストッパ手段とを備えた請求項１または２記載の廃棄物搬送用コンテナ型台車。
【請求項４】
天井部は、側壁部の上側開口部に対し脱着可能に取り付けられるよう当該天井部の一端側を側壁部に対して回動可能に保持するためのジョイント手段と、天井部の他端側を側壁部に係止するためのフック手段とを備えた請求項１乃至３のいずれか記載の廃棄物搬送用コンテナ型台車。
【請求項５】
扉部は、観音開き状に開閉可能とした左右の開き戸を有し、左右いずれか一方の開き戸には、当該開き戸を閉鎖状態で側壁部に固定させるための第２スライドストッパ手段を備え、左右いずれか他方の開き戸には、キーの挿入回転により当該開き戸を前記閉鎖状態にある一方の開き戸に対して固定するためのキー孔を備えた請求項１乃至４のいずれか記載の廃棄物搬送用コンテナ型台車。
【発明の詳細な説明】
【技術分野】
【０００１】
本発明は、例えばビルオフィス内での廃棄処分とされる重要機密書類等の各種廃棄物を運搬車両へ搬送する時に使用される所謂セーフティカーゴと称する廃棄物搬送用コンテナ型台車に関する。
【背景技術】
【０００２】
従来、ビルオフィス内では、重要機密書類が大量に廃棄処分される。この各種廃棄物を運搬車両まで搬送する場合には、これら廃棄物を所謂シークレットキューブと称する梱包体に収納し、例えばハンドル折り畳み式のキャスター台車にこれら梱包体を積載し、必要に応じて梱包体上に荷崩れ防止用のネットを被せるか等して搬送していた。また、使用後のキャスター台車は、ハンドルを前方に倒してから収納されるものとなっている。この梱包体は、頑丈で機密性の高い強化ダンボール製の回収容器によって形成され、例えば上蓋を開放し側方に略Ｖ字状に折り畳んだ状態にし、各廃棄物は回収容器内にそれぞれ回収されるようにしてある。
【先行技術文献】
【特許文献】
【０００３】
【特許文献１】特になし
【発明の概要】
【発明が解決しようとする課題】
【０００４】
しかしながら、従来のキャスター台車においては、これに積載されている複数の梱包体上にたとえ荷崩れ防止用のネットを被せてあっても、これら梱包体をこのネットで確実に保持させておくことは不可能であり、キャスター台車移動中に梱包体が荷崩れして転倒し、内部の廃棄対象物である重要機密書類が周辺に飛散してし、盗まれてしまう危険性がある。しかも、梱包体はネットの隙間から露出しているため、隙を見て外部より梱包体を破断し、内部の重要機密書類を盗み出すという危険性もある。さらに、キャスター台車上において梱包体は上記したように露出状態であることから、雨天時での搬送中では、風雨によって梱包体が濡れ損じ、内部の重要機密書類が露出してしまう虞もある。
【０００５】
そこで、本発明は、叙上のような従来存した諸事情に鑑み案出されたもので、キャスター台車に積載されている廃棄物運搬用の複数の梱包体の荷崩れを確実に阻止してキャスター台車上からの各梱包体の転倒およびこれに伴う梱包体内部の廃棄物の飛散を防止することができ、さらに梱包体の盗難防止や、雨天時での風雨に対する梱包体の保護等を確実ならしめることを可能にし、また、不使用時にはコンパクトに分解して収納できるようにした廃棄物搬送用コンテナ型台車を提供することを目的とする。
【課題を解決するための手段】
【０００６】
上述した課題を解決するために、本発明にあっては、ハンドル折り畳み式のキャスター台車と、当該キャスター台車上に脱着可能に取り付けられ且つ一側面に扉部を有する側壁部と、該側壁部の上側開口部を塞ぐよう当該側壁部に対し脱着可能に取り付けられる天井部とを備え、キャスター台車、側壁部、天井部それぞれによって囲まれた内部空間を、廃棄物を収納した複数の梱包体の収容空間としたことを特徴とする。
【０００７】
側壁部は、前記扉部を有する正面部、左右側面部、背面部がヒンジ部を介して互いに接続されて成り、左右側面部同士はこれら中央縦方向に沿って分断され且つヒンジ部を介して互いに接続されて成る中間折込部を備え、左右側面部それぞれの各中間折込部同士をヒンジ部を介してそれぞれ内方に向けて折り込むことで、側壁部を平面状に折り畳み可能としたものである。
【０００８】
キャスター台車には、側壁部の下端縁部を装着させるための溝条と、側壁部の下端適所から下方に向けて突設した突起を装着するための穴部と、キャスター台車上に装着された側壁部を当該キャスター台車に対して固定するための第１スライドストッパ手段とを備えたものである。
【０００９】
天井部は、側壁部の上側開口部に対し脱着可能に取り付けられるよう当該天井部の一端側を側壁部に対して回動可能に保持するためのジョイント手段と、天井部の他端側を側壁部に係止するためのフック手段とを備えたものである。
【００１０】
扉部は、観音開き状に開閉可能とした左右の開き戸を有し、左右いずれか一方の開き戸には、当該開き戸を閉鎖状態で側壁部に固定させるための第２スライドストッパ手段を備え、左右いずれか他方の開き戸には、キーの挿入回転により当該開き戸を前記閉鎖状態にある一方の開き戸に対して固定するためのキー孔を備えたものである。
【発明の効果】
【００１１】
本発明によれば、キャスター台車に積載されている廃棄物運搬用の複数の梱包体の荷崩れを確実に阻止してキャスター台車上からの各梱包体の転倒およびこれに伴う梱包体内部の廃棄物の飛散を防止することができ、さらに梱包体の盗難防止や、雨天時での風雨に対する梱包体の保護等を確実ならしめることを可能にし、また、不使用時にはコンパクトに分解して収納できる。
【００１２】
すなわち、本発明は、ハンドル折り畳み式のキャスター台車と、当該キャスター台車上に脱着可能に取り付けられ且つ一側面に扉部を有する側壁部と、該側壁部の上側開口部を塞ぐよう当該側壁部に対し脱着可能に取り付けられる天井部とを備え、キャスター台車、側壁部、天井部それぞれによって囲まれた内部空間を、廃棄物を収納した複数の梱包体の収容空間としたので、当該収容空間自体が外部とは遮断された密閉された空間となることによって梱包体を確実に保護することができる。
【００１３】
側壁部は、前記扉部を有する正面部、左右側面部、背面部がヒンジ部を介して互いに接続されて成り、左右側面部同士はこれら中央縦方向に沿って分断され且つヒンジ部を介して互いに接続されて成る中間折込部を備え、左右側面部それぞれの各中間折込部同士をヒンジ部を介してそれぞれ内方に向けて折り込むことで、角筒状の側壁部を平面状に折り畳み可能としたので、不使用時には、平面状に折り畳まれた側壁部を、分解されたキャスター台車および天井部と共にコンパクトに収納することができる。
【００１４】
キャスター台車には、側壁部の下端縁部を装着させるための溝条と、側壁部の下端適所から下方に向けて突設した突起を装着するための穴部と、キャスター台車上に装着された側壁部を当該キャスター台車に対して固定するための第１スライドストッパ手段とを備えたので、キャスター台車上への側壁部の装着が容易に行える。しかも第１スライドストッパ手段によってキャスター台車に対して側壁部がしっかりと固定されることで、搬送中におけるキャスター台車からの側壁部の脱落を未然に防止することができる。
【００１５】
天井部は、側壁部の上側開口部に対し脱着可能に取り付けられるよう当該天井部の一端側を側壁部に対して回動可能に保持するためのジョイント手段と、天井部の他端側を側壁部に係止するためのフック手段とを備えたので、側壁部に対する天井部の脱着が容易に行える。これと同時に、天井部の存在により梱包体の盗難防止や、雨天時での風雨に対する梱包体の保護等が担保される。
【００１６】
扉部は、観音開き状に開閉可能とした左右の開き戸を有し、左右いずれか一方の開き戸には、当該開き戸を閉鎖状態で側壁部に固定させるための第２スライドストッパ手段を備え、左右いずれか他方の開き戸には、キーの挿入回転により当該開き戸を前記閉鎖状態にある一方の開き戸に対して固定するためのキー孔を備えたので、扉部からの梱包体の転倒、およびこれに伴う梱包体内部の廃棄物の飛散を防止することができ、さらに梱包体の盗難防止にも効果を発揮する等、諸々のセーフティカーゴシステムを構築可能にする。
【図面の簡単な説明】
【００１７】
【図１】本発明を実施するための一形態を示す廃棄物搬送用コンテナ型台車の分解斜視図である。
【図２】同じく組立後の使用状態を示す廃棄物搬送用コンテナ型台車の斜視図である。
【図３】同じく廃棄物搬送用コンテナ型台車の扉部を開放して梱包体を収容した状態を示す斜視図である。
【図４】キャスター台車上にて側壁部を展開し組み付ける一例を示すもので、（ａ）は展開前の状態の斜視図、（ｂ）は展開途中の状態の斜視図、（ｃ）は展開後の組み付け状態の斜視図である。
【図５】キャスター台車上に側壁部が組み付けられている状態を上方から見た横断面図である。
【図６】キャスター台車に対して側壁部を固定するためのスライドストッパ手段の一例を示す斜視図である。
【図７】側壁部に対して天井部の一端側を枢着保持するためのジョイント手段の一例を示し、（ａ）は取付前の状態の斜視図、（ｂ）は取付後の状態の斜視図である。
【図８】側壁部に対して天井部の他端側を係止固定するためのフック手段の一例を示す取付前の状態の斜視図である。
【図９】同じくフック手段の操作の一例を説明するもので、（ａ）はフック手段の爪片を側壁部内側の係止孔部に係架させた状態の斜視図、（ｂ）は爪片の上からさらに押え片を係止孔部に係架させた状態の斜視図である。
【図１０】扉部における左右いずれか一方の開き戸を閉鎖状態で側壁部に固定させるためのスライドストッパ手段の一例を示し、（ａ）は開き戸を閉める前の状態の斜視図、（ｂ）は開き戸を閉めた後にスライドストッパ手段によって固定した状態の斜視図である。
【図１１】扉部における開き戸のキー孔にキーを挿入し回転することで、閉鎖状態にある他方の開き戸に対して固定する状態を示す斜視図である。
【図１２】廃棄物を収納するための梱包体の一例を示す斜視図である。
【発明を実施するための形態】
【００１８】
以下、図面を参照して本発明に係る廃棄物搬送用コンテナ型台車の実施の一形態を詳細に説明する。
【００１９】
本発明に係る廃棄物搬送用コンテナ型台車を構成する台車本体１は、図１乃至図３に示すように、ハンドル２ａ折り畳み式のキャスター台車２と、当該キャスター台車２上に脱着可能に取り付けられ且つ一側面に扉部５を有する角筒状の側壁部３と、該側壁部３の上側開口部を塞ぐよう当該側壁部３に対し脱着可能に取り付けられる矩形平面状の天井部４とから構成されている。なお、側壁部３および天井部４は、例えばアルミニウム等の軽金属性から成る骨組み枠部材および平板材の貼り合わせによって形成されており、外側面の適宜箇所には不図示の緩衝部材が貼設されている。
【００２０】
そして、本構成による台車本体１は、図３に示すように、キャスター台車２、側壁部３、天井部４それぞれによって囲まれた内部空間を梱包体Ｐの収容空間Ｓとし、主としてオフィスビル内で発生する重要機密書類等の廃棄物を収納した所謂シークレットキューブと称する複数の梱包体Ｐを扉部５から収容空間Ｓ内に積み込んで移送するものである。
【００２１】
この梱包体Ｐは、図１２に示すように、矩形箱状に成形された強化ダンボール製の回収容器Ｐ１によって形成され、その一つの側面端部側には細長の投入口Ｐ２が形成された略郵便ポスト箱タイプとなっている。この投入口Ｐ２に廃棄物である重要機密書類等を順次投入してゆくことで当該書類は回収容器Ｐ１によって隠蔽された状態で収納される。また、この孔部Ｐ２を有する面に隣接した他の側面端部側には、複数の円形状の孔部Ｐ３が穿設されており、回収容器Ｐ１を例えば棚部等から引き出す際の取っ手の役目を果たすと同時に、回収容器Ｐ１内に収納される廃棄物の数量がこの孔部Ｐ３から見えるようになっている。
【００２２】
側壁部３は、図１乃至図５に示すように、正面部３ａ、左側面部３ｂ、右側面部３ｃ、背面部３ｄそれぞれの左右両端部同士がヒンジ部６を介して接続されて成る。このヒンジ部６は内側付けとなって外部に露出しないことで安全性を保っている。すなわち、図５に示すように、ヒンジ部６のヒンジ軸部６ａが内側に位置するようにヒンジ軸部６ａ両側のヒンジ羽根部６ｂ、６ｃが、展開時の直角に接合する両面にそれぞれネジ止めされることで角側折込部７を形成している。
【００２３】
また、図１乃至図５に示すように、左右側面部３ｂ、３ｃそれぞれはこれら中央縦方向に沿って分断されており、ヒンジ部６のヒンジ軸部６ａが外側に位置するようにヒンジ軸部６ａ両側のヒンジ羽根部６ｂ、６ｃが相対向する分断面にそれぞれネジ止めされることで中間折込部８を形成している。そして、図５に示すように、左右側面部３ｂ、３ｃそれぞれの各中間折込部８同士をヒンジ部６を介して互いに内方に向けて折り込むことで、側壁部３を略平面状に折り畳み可能となるようにしてある（図４も参照）。
【００２４】
また、正面部３ａは、図３に示すように、当該正面部３ａを構成する矩形枠部に対しヒンジ部６を介して観音開き状に開閉可能とした左右の開き戸５ａ、５ｂから成る扉部５を備えている。さらに、図１、図４に示すように、正面部３ａおよび背面部３ｄそれぞれの下端左右両側には下方に向けて突起２１が突設されており、後述するキャスター台車２の各穴部２２に装着される。なお、正面部３ａの突起２１は、背面部３ｄの突起２１よりも短くなっている。
【００２５】
キャスター台車２には、図１、図４、図５に示すように、側壁部３の下端縁部を嵌合装着させるための平面矩形状の溝条１０が形成され、該溝条１０内の４箇所には、上記した正面部３ａおよび背面部３ｄに形成されている突起２１を嵌挿するための穴部２２が形成されている。また、図１、図３、図５に示すように、キャスター台車２上の溝条１０内側には、例えばアルミニウム等の軽金属性から成る角棒を格子状に組み付けて成る底上げ補強部９が形成されている。
【００２６】
さらに、この底上げ補強部９が配置されているキャスター台車２上の、前記側壁部３の正面部３ａおよび背面部３ｄの装着位置に対応する前後箇所には、キャスター台車２に対して側壁部３を固定するための第１スライドストッパ手段１１が設けられている。
【００２７】
すなわち、第１スライドストッパ手段１１は、図５および図６に示すように、キャスター台車２上に固定された軸受台座部１１ａに対して前後方向にスライド可能な係止ロッド１１ｂを備え、該係止ロッド１１ｂの周面一箇所には操作レバー１１ｃが付設されている。この操作レバー１１ｃは、軸受台座部１１ａの前後方向に形成されているスライド溝１１ｄに沿って前後方向に移動させることにより、当該係止ロッド１１ｂの先端側が軸受台座部１１ａより進出乃至退避できるようになっている。また、スライド溝１１ｄの前後には直交状の溝となる係止溝１１ｅ、１１ｆが形成され、操作レバー１１ｃの前後スライド位置にてこれを回転させて係止溝１１ｅ、１１ｆに係架させることで、操作レバー１１ｃが固定保持できるようになっている。
【００２８】
そして、キャスター台車２上の溝条１０に装着された側壁部３の正面部３ａおよび背面部３ｄそれぞれの下方に位置する骨組み枠部材内側には、軸受台座部１１ａの係止ロッド１１ｂに対向して穴部１１ｇが形成されており、操作レバー１１ｃの前方移動操作で進出した係止ロッド１１ｂがこの穴部１１ｇに嵌合もしくは挿入されることで、キャスター台車２に対して側壁部３が固定されるものとなっている。
【００２９】
また、天井部４および側壁部３それぞれには、天井部４の一端側を側壁部３の上側開口部に対して回動可能に保持するためのジョイント手段１２を備えている。
【００３０】
すなわち、ジョイント手段１２は、図７（ａ）、図７（ｂ）に示すように、天井部４の一端側に、下端縁に左右一対の筒部１２ａ、１２ｂが互いに横向き対向状となって付設されている上側基板部１２ｃがネジ止め固定され、当該両筒部１２ａ、１２ｂに跨って軸部１２ｄが嵌着されている。これに対応して側壁部３の上側開口部における開口端外縁には、上端縁に断面略Ｃ環状の係架部１２ｅが付設されている下側基板部１２ｆがネジ止め固定されている。
【００３１】
このとき、係架部１２ｅの横幅員は、両筒部１２ａ、１２ｂ間で露出している軸部１２ｄの長さと略同じである。そして、天井部４を若干斜めにしてから係架部１２ｅに軸部１２ｄを係架させることで天井部４の一端側は側壁部３に対して回動可能に保持されるものとなっている。
【００３２】
一方、天井部４の他端側には、当該天井部４を側壁部３の上側開口部に係止固定するためのフック手段１３を備えている。
【００３３】
すなわち、フック手段１３は、図８、図９（ａ）、図９（ｂ）に示すように、天井部４の他端側における骨組み枠部材内側に、下端縁に左右一対の筒部１３ａ、１３ｂが互いに横向き対向状となって付設されている上側基板部１３ｃがネジ止め固定され、当該両筒部１３ａ、１３ｂに跨って軸部１３ｄが嵌着されている。そして、軸部１３ｄには回動片１３ｅが取り付けられ、当該回動片１３ｅの下端には、左右両側に爪片１３ｆ、１３ｇを備えたフック１３ｈが固定されている。
【００３４】
また、回動片１３ｅには、フック１３ｈの爪片１３ｆ、１３ｇを上側から押え込むための押え片１３ｉが軸部１３ｊを介して回動可能に設けられている。一方、このフック手段１３に対応して、側壁部３の正面部３ａにおける上側開口部を構成する骨組み枠部材内側には、フック１３ｈの爪片１３ｆ、１３ｇを係架させるための横向き長円形状の係止孔部１３ｋが形成されており、フック１３ｈの爪片１３ｆ、１３ｇを係止孔部１３ｋに係架させ、さらに爪片１３ｆ、１３ｇの上から押え片１３ｉを係止孔部１３ｋに係架させることで天井部４の他端側は側壁部３に係止固定されるものとなっている。
【００３５】
扉部５は、観音開き状に開閉可能とした左右の開き戸５ａ、５ｂを有し、例えば左側の開き戸５ａには、当該開き戸５ａを閉鎖状態で側壁部３に固定させるための第２スライドストッパ手段１４を備えている。なお、左右の開き戸５ａ、５ｂは共に、例えばアルミニウム等の軽金属性から成る骨組み枠部材および平板材の貼り合わせによって形成されている。また、左右の開き戸５ａ、５ｂ中央の外側面には帯状の緩衝部材３１（図１、図２、図４参照）が貼設されている。
【００３６】
この第２スライドストッパ手段１４は、左側の開き戸５ａの開放端側の骨組み枠部材における内側の上下対称箇所に設けられ、左側の開き戸５ａを上下にて側壁部３の上下骨組み枠部材に固定されるようになっている。なお、以下において上側の第２スライドストッパ手段１４の具体的構成について説明するが、下側の第２スライドストッパ手段１４もこの上側の第２スライドストッパ手段１４と同じ構成であるのでその詳細な説明を省略する。
【００３７】
すなわち、第２スライドストッパ手段１４は、図１０（ａ）、図１０（ｂ）に示すように、左側の開き戸５ａの開放端側の骨組み枠部材内側にネジ止め固定されたガイド基部１４ａに対して上下方向にスライド可能な係止片１４ｂを備え、該係止片１４ｂの外面一箇所には操作突起１４ｃが付設されている。この操作突起１４ｃは、ガイド基部１４ａの上下方向に形成されているスライド溝１４ｄに沿って上下方向に移動させることにより、係止片１４ｂの先端側がガイド基部１４ａより進出乃至退避できるようになっている。
【００３８】
一方、この第２スライドストッパ手段１４の係止片１４ｂに対応して、側壁部３の正面部３ａにおける上側開口部を構成する骨組み枠部材内側には係止溝１４ｅが形成されており、左側の開き戸５ａを閉鎖した状態で操作突起１４ｃを上方に移動させることで係止片１４ｂは係止溝１４ｅに係合され、これにより、左側の開き戸５ａを側壁部３の骨組み枠部材に固定されるようになっている。
【００３９】
また、図１１に示すように、右側の開き戸５ｂの開放端側の骨組み枠部材における中央には、キーＫを挿入するためのキー孔１５が設けられ、このキー孔１５にキーＫを差し込んで反時計方向に回転させることで、キー孔１５内端側のサムターン１５ａが、閉鎖状態にある左側の開き戸５ａ方向に回転し、これによって右側の開き戸５ｂは左側の開き戸５ａに対して固定されるものとなっている。
【００４０】
なお、上記したキャスター台車２側および左側の開き戸５ａ側の第２スライドストッパ手段１４は本発明の一例に過ぎず、上記した各構成とは別の例えばフック構造等による他のストッパ手段を採用しても良い。
【００４１】
次に、以上のように構成された形態についての組立・使用の一例について説明する。先ず、台車本体１の組立に際し、ハンドル２ａを引き起こした状態のキャスター台車２の上に、折り畳まれている側壁部３を載せておき、側壁部３を展開状態にしつつ当該側壁部３の下端縁を溝条１０に装着する。
【００４２】
この場合、図４（ａ）に示すように、先に背面部３ｄ側の下端の長い方の突起２１を溝条１０内の穴部２２に嵌合させておき、図４（ｂ）に示すように、当該背面部３ｄを支持した状態で正面部３ａを矢票Ａ方向に引き伸ばす。このとき、左右側面部３ｂ、３ｃそれぞれの各中間折込部８同士はヒンジ部６を介して互いに外方に向けて展開される。その後、図４（ｃ）に示すように、側壁部３が矩形筒状となった時点で、正面部３ａ側の下端の短い方の突起２１を溝条１０内の他方の穴部２２に嵌合させる。
【００４３】
そして、図５、図６に示すように、第１スライドストッパ手段１１の操作レバー１１ｃを軸受台座部１１ａのスライド溝１１ｄに沿って前方向に移動させることにより、係止ロッド１１ｂの先端側を軸受台座部１１ａより進出させ、係止ロッド１１ｂを側壁部３下側の穴部１１ｇに嵌合もしくは挿入させることで、キャスター台車２に対して側壁部３が固定される。然る後、操作レバー１１ｃを回して前側の係止溝１１ｅに係架させておく。
【００４４】
次に、側壁部３の上側開口部に天井部４を取り付ける。この場合、図７（ａ）および図７（ｂ）に示すように、天井部４を若干斜めにしてから側壁部３の背面部３ｄのジョイント手段１２の係架部１２ｅに天井部４の一端側のジョイント手段１２の軸部１２ｄを係架させることで天井部４の一端側を側壁部３に対して保持させておく。そして、図８、図９（ａ）、図９（ｂ）に示すように、天井部４の他端側にあるフック手段１３におけるフック１３ｈの爪片１３ｆ、１３ｇを、側壁部３の正面部３ａにおける係止孔部１３ｋに係架させ、さらに爪片１３ｆ、１３ｇの上から押え片１３ｉを係止孔部１３ｋに係架させることで天井部４の他端側が側壁部３に係止固定される。
【００４５】
次に、台車本体１の使用に際し、図３に示すように、扉部５の左右の開き戸５ａ、５ｂを開放させ、収容空間Ｓ内に、廃棄物が収納されている梱包体Ｐを順次収容する。このとき、孔部Ｐ３を有する面が上向きで且つ投入口Ｐ２を有する面が横向きとなるように配置する。そして、収容空間Ｓの左側に梱包体Ｐを順次積み重ね収容し、左側の開き戸５ａを閉鎖してから、図１０（ａ）、図１０（ｂ）に示すように、第２スライドストッパ手段１４の操作突起１４ｃを上方に移動させることで係止片１４ｂを係止溝１４ｅに係合させることにより、左側の開き戸５ａを側壁部３の骨組み枠部材に固定させておく。
【００４６】
次に、収容空間Ｓの右側に梱包体Ｐを積み重ね収容して右側の開き戸５ｂを閉鎖し、図１１に示すように、キー孔１５にキーＫを差し込んで反時計方向に回転させることで、キー孔１５内端側のサムターン１５ａを、閉鎖状態にある左側の開き戸５ａ方向に回転させる。これによって右側の開き戸５ｂは左側の開き戸５ａに対して閉鎖固定される。こうして、廃棄物を収納した各梱包体Ｐは台車本体１によって保護された状態で荷車位置まで搬送される。
【００４７】
なお、台車本体１の不使用の際には、上記した組み付け手順を逆に辿ることによって台車本体１は簡単に分解され、コンパクトな状態となって所定の保管場所に収納される。このとき、特に、側壁部３は、左右側面部３ｂ、３ｃそれぞれの各中間折込部８同士をヒンジ部６を介して互いに内方に向けて折り込むことで、側壁部３自体を略平面状に折り畳み可能となるようにしてある（図４参照）ので、分解されたキャスター台車２および天井部４と共にコンパクトに収納保管しておくことができる。
【符号の説明】
【００４８】
Ｐ    梱包体
Ｓ    収容空間
Ｋ    キー
１    台車本体
２    キャスター台車
３    側壁部
３ａ  正面部
３ｂ  左側面部
３ｃ  右側面部
３ｄ  背面部
４    天井部
５    扉部
６    ヒンジ部
７    角側折込部
８    中間折込部
１０  溝条
１１  第１スライドストッパ手段
１２  ジョイント手段
１３  フック手段
１４  第２スライドストッパ手段
１５  キー孔
【図１】
2013039879.tif 000003
【図２】
2013039879.tif 000004
【図３】
2013039879.tif 000005
【図４】
2013039879.tif 000006
【図５】
2013039879.tif 000007
【図６】
2013039879.tif 000008
【図７】
2013039879.tif 000009
【図８】
2013039879.tif 000010
【図９】
2013039879.tif 000011
【図１０】
2013039879.tif 000012
【図１１】
2013039879.tif 000013
【図１２】
2013039879.tif 000014